(57)【要約】【目的】  レンズ鏡筒によるストロボ光のケラレを防止する。【構成】  デジタルカメラ１０では、レンズ鏡筒１６が上下方向に回転可能とされており、被写体側へ前進したレンズ鏡筒１６が、ストロボ発光部１４から発光されたストロボ光の光域ＬＡから退避可能となっている。【選択図】  図３
2005234232.tif 000002
【特許請求の範囲】
【請求項１】
被写体側へストロボ光を発光する発光手段と、
被写体側へ前進可能とされたレンズ鏡筒と、
レンズ鏡筒の奥方に配置された撮像素子と、
を備えるデジタルカメラであって、
前記撮像素子をレンズ鏡筒に固定し、前記レンズ鏡筒をカメラ筐体に移動可能に支持し、被写体側へ前進した前記レンズ鏡筒を、前記発光手段によって発光されたストロボ光の光域から退避可能としたことを特徴とするデジタルカメラ。
【発明の詳細な説明】
【技術分野】
【０００１】
本発明は、ストロボ光を発光する発光手段を備えたデジタルカメラに関する。
【背景技術】
【０００２】
従来から、カメラのレンズ鏡筒によるストロボ光のケラレを防止する対策は種々考案されている（例えば、特許文献１参照）。この特許文献１では、レンズ鏡筒のバヨネットを回転させることによってアクセサリー取付用のバヨネット爪によるストロボ光のケラレが防止されている。
【０００３】
しかし、レンズ鏡筒の被写体側への前進量が大きく、レンズ鏡筒自体がストロボ光の光域に入ってしまうようなカメラの場合、バヨネット爪をストロボ光の光域から逃がすだけでは全く効果がない。
【特許文献１】特開平１１−１８３９７３号公報
【発明の開示】
【発明が解決しようとする課題】
【０００４】
本発明は上記事実を考慮してなされたものであり、被写体側へ前進したレンズ鏡筒がストロボ光の光域に入るデジタルカメラにおけるレンズ鏡筒によるストロボ光のケラレを防止することを目的とする。
【課題を解決するための手段】
【０００５】
請求項１に記載のデジタルカメラは、被写体側へストロボ光を発光する発光手段と、被写体側へ前進可能とされたレンズ鏡筒と、レンズ鏡筒の奥方に配置された撮像素子と、を備えるデジタルカメラであって、前記撮像素子をレンズ鏡筒に固定し、前記レンズ鏡筒をカメラ筐体に移動可能に支持し、被写体側へ前進した前記レンズ鏡筒を、前記発光手段によって発光されたストロボ光の光域から退避可能としたことを特徴とする。
【０００６】
請求項１に記載のデジタルカメラでは、撮像素子がレンズ鏡筒の奥方へ配置され、レンズ鏡筒が被写体側へ前進可能とされている。また、発光手段によって被写体側へストロボ光が発光される。これによって、被写体をストロボ光で照らし、レンズ鏡筒を被写体側へ前進させた状態で、被写体像を撮像素子によって撮像することができる。
【０００７】
ここで、レンズ鏡筒は、カメラ筐体に移動可能に支持され、被写体側へ前進した際にストロボ光の光域から退避可能とされている。これによって、ストロボ光のレンズ鏡筒によるケラレを防止できる。
【０００８】
また、撮像素子は、レンズ鏡筒に固定されているので、レンズ鏡筒が移動してもレンズ鏡筒との相対位置は不動である。従って、撮像素子とレンズ鏡筒との光軸がずれることがない。
【発明の効果】
【０００９】
本発明は上記構成にしたので、被写体側へ前進したレンズ鏡筒がストロボ光の光域に入るデジタルカメラにおけるレンズ鏡筒によるストロボ光のケラレを防止できる。また、レンズ鏡筒が移動してもレンズ鏡筒と撮像素子との光軸がずれることが無い。
【発明を実施するための最良の形態】
【００１０】
以下に図面を参照しながら第１実施形態について説明する。
【００１１】
図１に示すように、本発明のデジタルカメラ１０では、カメラ筐体１２の前面上側に、ストロボ発光部１４が配設されている。また、カメラ筐体１２の前面のストロボ発光部１４の下側に、ズーム動作等で被写体側へ前進可能とされたレンズ鏡筒１６が配設されている。このレンズ鏡筒１６は、被写体側へ前進した時、ストロボ発光部１４から発光されたストロボ光の光域ＬＡに入り、ストロボ光を遮る。即ち、ストロボ光のケラレが発生する。
【００１２】
図２には、本実施形態のデジタルカメラ１０の回路構成を示すブロック図が示されている。
【００１３】
このデジタルカメラ１０は、動作全般の主制御部であるＣＰＵ２０、撮像系制御部２２、画像圧縮／伸張部２４、液晶ディスプレイ（ＬＣＤ）１８の表示制御を行うＬＣＤ制御部２６、内蔵メモリ２８、通信インターフェース（通信Ｉ／Ｆ）３０、メディアインターフェース（メディアＩ／Ｆ）３２、操作部３４、及びレリーズスイッチ部３６を主要構成としており、各々がバス３６を介して相互に各種データの授受可能に接続されている。
【００１４】
撮像系制御部２２は、被写体Ａを撮影するための撮像系（レンズＬ等）を制御して、被写体Ａを動画像或いは静止画像として所望に選択して撮影し、撮影画像を被写体Ａに対応するデジタル画像データとして取得するためのものである。
【００１５】
画像圧縮／伸張部２４は、前記デジタル画像データに対する所定の画像圧縮形式による圧縮処理や、圧縮されたデジタル画像データを圧縮形式に応じて伸張するためのものである。
【００１６】
ＬＣＤ制御部２６にはＬＣＤ１８が接続されており、ＬＣＤ１８における各種情報の表示制御がなされる。
【００１７】
内蔵メモリ２８は、主として撮影によって得られたデジタル画像データを一時的に記憶するＲＡＭ、及び各種制御プログラムや所定のパラメータ等を予め記憶するＲＯＭを含んで構成されている。なお、前記ＲＡＭは、前記画像圧縮／伸張部２４による圧縮・伸張処理時のワークエリアとしても用いられる。
【００１８】
メディアＩ／Ｆ３２は、撮影によって得られたデジタル画像データを記憶するためのメディア３８との間で各種データの授受を中継するためのものであり、メディア３８に対する各種データの書込みや、メディア３８に書き込まれている各種データの読み出しを制御する。
【００１９】
通信Ｉ／Ｆ３０は、外部機器との間で各種データの授受を中継するためのものでる。
【００２０】
操作部３４は、ＣＰＵ２０に撮影モードの切換え等を行わせ、レリーズスイッチ１９は、ＣＰＵ２０にレリーズ信号を送って撮像系に撮像を行わせる。
【００２１】
図３に示すように、レンズ鏡筒１６は、カメラ筐体１２に支持された円筒形状の支持部１６Ａと、この支持部１６Ａに摺動可能に支持され、内側にレンズ４０が固定された円筒形状のレンズ支持部１６Ｂとで構成されている。
【００２２】
図４に示すように、レンズ鏡筒１６の支持部１６Ａは、光軸Ｌと直交する方向に延出した回転軸４２によってカメラ筐体１２に上下方向に揺動可能に支持されている。また、撮像素子４４が支持部１６Ａに、レンズ４０の光軸Ｌに合わせて固定されている。
【００２３】
さらに、支持部１６Ａのカメラ筐体１２内に位置する底面１６Ｃには、固定ピン挿抜用孔１６Ｄが形成されている。そして、レンズ鏡筒１６Ａが、真正面を向いている時に、固定挿抜用孔１６Ｄに固定ピン４６Ａを挿抜可能なソレノイド４６が、底面１６Ｃに面して配設されている。このソレノイド４６は、励磁されると固定ピン４６Ａをコイル４６Ｂ側へ引き寄せ、励磁を解除されると固定ピン４６Ａをコイル４６Ｂ側から押し出す。
【００２４】
即ち、図４（Ａ）に示す状態では、ソレノイド４６が非励磁状態で、固定ピン４６Ａが底面１６Ｃに向って最大限前進している。この状態で、固定ピン４６Ａを固定ピン挿抜用孔１６Ｄに挿入させることができる。
【００２５】
また、図４（Ｂ）に示す状態では、ソレノイド４６が励磁状態で、固定ピン４６Ａが底面１６Ｃに対して最大限後退している。この状態で、固定ピン４６Ａは固定ピン挿抜用孔１６Ｄから抜け出し、レンズ鏡筒１６の固定を解除する。
【００２６】
また、支持部１６Ａの下面にカム面を当接させ、図示しない回転力付与機構からの回転力で回転するカム４８が支持部１６Ａの下側に配設されている。このカム４８は、図４（Ａ）に示すように、半径が一定である円弧部４８Ａを支持部１６Ａに当接させて、図３（Ａ）に示すようにレンズ鏡筒１６を真正面に向かせる。またカム４８は、図４（Ｂ）に示すように、半径が最大の頂上部４８Ｂを支持部１６Ａに当接させて支持部１６Ａのカメラ筐体１２側を上向きに回転させる。これによって、レンズ支持部１６Ｂが、下向きに回転し、図３（Ｂ）に示すようにストロボ光の光域ＬＡから退避する。従って、レンズ鏡筒１６のレンズ支持部１６Ｂが前進した状態でのレンズ支持部１６Ｂによるストロボ光のケラレが防止される。
【００２７】
また、撮像素子４４が支持部１６Ａに固定されているので、レンズ鏡筒１６が上下に首を振っても撮像素子４４に対してレンズ４０の光軸Ｌがずれることがない。
【００２８】
次に、レンズ鏡筒１６の駆動機構の変形例について説明する。
【００２９】
図５に示すように、レンズ鏡筒１６の支持部１６Ａの下側には歯車５０が回転可能に支持され、支持部１６Ａの下面には、歯車５０と噛合する歯型が形成されたギア板５２が固定されている。
【００３０】
即ち、図５（Ａ）に示すようにレンズ鏡筒１６が真正面を向いた状態から歯車５０が図中反時計回り方向に回転すると、ギア板５２に図中時計周り方向の回転力が加わり、支持部１６Ａのカメラ筐体１２側が上方に回転し、レンズ支持部１６Ｂが下方に回転する。これによって、レンズ鏡筒１６によるストロボ光のケラレを防止できる。
【００３１】
なお、本実施形態では、レンズ鏡筒１６を上下に回転させてストロボ光の光域ＬＡから退避させたが、レンズ鏡筒１６の移動方法はこれに限らず、レンズ鏡筒１６を光軸Ｌに対して略直角な方向にスライドさせてストロボ光の光域から退避させる等、他の方法も適用可能である。
【図面の簡単な説明】
【００３２】
【図１】本実施形態のデジタルカメラを示す斜視図である。
【図２】本実施形態のデジタルカメラの回路構成を示すブロック図である。
【図３】（Ａ）は、本実施形態のデジタルカメラのレンズ鏡筒が真正面を向いた状態を示す側面図、（Ｂ）は、本実施形態のデジタルカメラのレンズ鏡筒がストロボ光の光域から退避するべく、下向きに回転した状態を示す側面図である。
【図４】（Ａ）は、本実施形態のデジタルカメラのレンズ鏡筒が真正面を向いた状態を示す側断面図、（Ｂ）は、本実施形態のデジタルカメラのレンズ鏡筒がストロボ光の光域から退避するべく、下向きに回転した状態を示す側断面図である。
【図５】（Ａ）は、本実施形態のデジタルカメラのレンズ鏡筒が真正面を向いた状態を示す側断面図、（Ｂ）は、本実施形態のデジタルカメラのレンズ鏡筒がストロボ光の光域から退避するべく、下向きに回転した状態を示す側断面図である。
【符号の説明】
【００３３】
１０    デジタルカメラ
１２    カメラ筐体
１４    ストロボ発光部（発光手段）
１６    レンズ鏡筒
４４    撮像素子
ＬＡ    光域
【図１】
2005234232.tif 000003
【図２】
2005234232.tif 000004
【図３】
2005234232.tif 000005
【図４】
2005234232.tif 000006
【図５】
2005234232.tif 000007